(57)【要約】【課題】本発明は、例えば、介護医療において患者との通話や、子供たちとの通話を行うための通話システムに関するものもので、使い勝手を向上することを目的とするものである。【解決手段】本発明の通話システムは、携帯端末４が通話信号を着信したときに発信者情報記憶部１０に予め記憶させた情報に基づいて、強制着信判断部１１で強制着信の可否を判断し、可と判断したときには通話ボタンを操作することなく通話が可能となり、そしてさらに、ボタン操作無効化設定記憶部１２に予め記憶した設定に基づいて、ボタン操作切替え部１３によって通話が完了するまでは通話を終了できないように一時的にボタン操作を無効にすることができ、極めて使い勝手の良いものとなるのである。【選択図】図２
2014075689.tif 000002
【特許請求の範囲】
【請求項１】
通話信号を着信する携帯端末と、この携帯端末に通話音声の着信と送信の少なくとも一方が可能な状態で接続された音声伝達装置とを備え、前記携帯端末と前記音声伝達装置の少なくとも一方には、前記携帯端末から前記音声伝達装置に通話音声を出力する通話音声出力部と、前記携帯端末の着信を制御する制御部と、この制御部に接続された発信者情報記憶部、強制着信判断部、ボタン操作無効化設定記憶部およびボタン操作切替え部とを有する通話システム。
【請求項２】
前記制御部にパスワード要求部を接続した請求項１に記載の通話システム。
【請求項３】
前記音声伝達装置は補聴器である請求項１または請求項２に記載の通話システム。
【発明の詳細な説明】
【技術分野】
【０００１】
本発明は、例えば、介護医療において患者との通話や、子供たちとの通話を行うための通話システムに関するものである。
【背景技術】
【０００２】
従来のこの種、通話システムは、患者や子供が携帯する携帯端末と、同じく患者や子供が携帯するとともにこの携帯端末に接続された音声伝達装置とにより構成されていた。また、前記携帯端末は外部から通話信号を着信した時に通話を開始するための通話開始ボタンと、通話を終了する通話終了ボタンと、着信を強制的に受信させる制御部とを備えた構成となっており、外部から携帯端末に着信があったときに、その着信を強制的に受け付け、発信者との通話を自動的に開始するようになっていた（これに類似する先行文献としては下記特許文献１および特許文献２が存在する）。
【先行技術文献】
【特許文献】
【０００３】
【特許文献１】特開２００３−１２５４９６号公報
【特許文献２】特開平１１−２５２６４７号公報
【発明の概要】
【発明が解決しようとする課題】
【０００４】
上記従来例においては、携帯端末に外部から着信があったときに、通話を強制的に開始できたにもかかわらず、会話が最後まで完了できず、通話の目的を遂げられない場合がある。例えば、受信者が子供であったり、認知性の病気を患っている老人であったりする場合、会話の途中で携帯端末の通話終了ボタンに触れてしまい、会話がまだ途中であるにもかかわらず通話が終了してしまい、通話の目的を遂げられないのである。
【０００５】
つまり、従来の通話システムでは携帯端末に外部から着信があって、通話を強制的に開始できても、会話の途中で意図しないボタン操作によって通話を終了してしまうことが発生してしまうものであって、会話を完了するまで確実に通話状態を保つことが必ずしもできないことがあり、極めて使い勝手の悪いものとなっていた。
【０００６】
そこで本発明は、使い勝手を向上することを目的とするものである。
【課題を解決するための手段】
【０００７】
そして、この目的を達成するために本発明は、通話信号を着信する携帯端末と、この携帯端末に通話音声の着信と送信の少なくとも一方が可能な状態で接続された音声伝達装置とを備え、前記携帯端末と前記音声伝達装置の少なくとも一方には、前記携帯端末から前記音声伝達装置に通話音声を出力する通話音声出力部と、前記携帯端末の着信を制御する制御部と、この制御部に接続された発信者情報記憶部、強制着信判断部、ボタン操作無効化設定記憶部およびボタン操作切替え部とを有する構成とし、これにより所期の目的を達成するものである。
【発明の効果】
【０００８】
以上のように本発明は、通話信号を着信する携帯端末と、この携帯端末に通話音声の着信と送信の少なくとも一方が可能な状態で接続された音声伝達装置とを備え、前記携帯端末と前記音声伝達装置の少なくとも一方には、前記携帯端末から前記音声伝達装置に通話音声を出力する通話音声出力部と、前記携帯端末の着信を制御する制御部と、この制御部に接続された発信者情報記憶部、強制着信判断部、ボタン操作無効化設定記憶部およびボタン操作切替え部とを有する構成としたものであるので極めて使い勝手の良いものとなる。
【０００９】
すなわち、本発明においては、携帯端末に外部から着信があったときに発信者情報記憶部に予め記憶させた発信者を特定できる情報に基づいて、強制着信判断部で強制的に着信しても良いか否かを判断し、可と判断したときには通話開始ボタンを操作することなく強制的に通話が開始できる状態となり、また、ボタン操作無効化設定記憶部に予め記憶した設定に基づいて、通話が完了するまでは着信状態を終了できないように一時的にボタン操作を無効にすることができるようにしたものである。その結果、必要な会話が適切に実行できるものとなり、極めて使い勝手の良いものとなるのである。
【図面の簡単な説明】
【００１０】
【図１】本発明の一実施形態に係る通話システムを示す図
【図２】同通話システムのブロック図
【図３】同通話システムにおける動作フローチャート
【発明を実施するための形態】
【００１１】
以下、本発明の一実施形態を、添付図面を用いて詳細に説明する。
【００１２】
（実施例１）
図１において、１は受信者（補聴器装着者）２の耳３に装着される音声伝達装置である補聴器で、この補聴器１と受信者２が所有する携帯端末４により通話システムが構築されている。
【００１３】
前記補聴器１は図１に示すごとく、受信者２の耳３の上部に掛かって装着される本体ケース５と、この本体ケース５が耳３に装着された状態で耳穴（図示せず）に挿入されるイヤフォン６と、本体ケース５が耳３に装着された状態で受信者２とは反対側に向けて配置されたマイクロフォン７とを備えている。
【００１４】
次に、図２は音声伝達装置である補聴器１と受信者２が所有する携帯端末４により構成した通話システムをまとめてブロック図としたものである。なお、補聴器１と携帯端末４とは、よく知られているように、この図２に示すリード線によって接続してもよいし、電波によって接続してもよい。
【００１５】
図２に示すごとく前記イヤフォン６と前記マイクロフォン７はＡ／ＤコンバータやＤ／Ａコンバータなどの入出力音処理部８を介して制御部９に接続されている。
【００１６】
この制御部９には、発信者情報記憶部（例えばアドレス帳など）１０、強制着信判断部１１、ボタン操作無効化設定記憶部１２およびボタン操作切替え部１３が接続されている。
【００１７】
発信者情報記憶部１０は、携帯端末４に、受信機１６、受信信号判別部１７を介して外部から着信があったと判断されたとき、発信者１４を特定することができる情報、すなわち、発信者１４の電話番号や氏名などの情報を保持している。
【００１８】
強制着信判断部１１は、発信者情報記憶部１０に保持している情報を基に強制的に着信しても良いか否かを判断し、可と判断したときは、補聴器１または携帯端末４の通話開始ボタン４ａの操作に関係なく、強制的に着信を受付ける決定を行う。
【００１９】
ボタン操作無効化設定記憶部１２は携帯端末４の通話終了ボタン４ｂの操作を無効にするか否かを予め設定しておくものであって、この設定がＯＮになっている場合には、携帯端末４で強制的に着信を受け付けた場合、携帯端末４のボタン操作を無効にした状態で、音声伝達装置である補聴器１から発信者１４によって発信された音声が出力され、通話が可能となる。
【００２０】
ボタン操作切替え部１３は携帯端末４の通話終了ボタン４ｂのボタン操作の有効、無効を切替えるものであって、ボタン操作無効化設定記憶部がＯＮのときに携帯端末４のボタンを無効にする処理を行い、また、通話が終了したときにこのボタン操作切替え部１３によって携帯端末４の通話開始ボタン４ａおよび通話終了ボタン４ｂの無効となっている設定を解除する。
【００２１】
つまり、本実施形態の補聴器を用いた通話システムは、携帯端末４に外部から着信があったときに発信者情報記憶部１０に予め記憶させた発信者１４を特定できる情報に基づいて、強制着信判断部１１で強制的に着信しても良いか否かを判断し、可と判断したときには通話開始ボタン４ａを操作することなく通話が開始できる状態となり、そしてさらに、ボタン操作無効化設定記憶部１２に予め記憶した設定に基づいて、通話が完了するまでは着信状態を終了できないように携帯端末４のボタン操作を無効にした状態で通話を開始できる構成としたものである。
【００２２】
したがって、受信者２が、子供や、認知症を患っている老人など認知力が低下した者であっても、携帯端末４に外部から着信があったときに発信者１４が予め強制着信が可能に設定された者であれば、補聴器１または携帯端末４の通話開始ボタン４ａを操作することなく、強制的に通話が可能な状態になり、そしてさらに、ボタン操作無効化設定記憶部１２に予め記憶した設定に基づいて、通話が完了するまでは着信状態を終了できないように一時的にボタン操作を無効にすることができるようにしたものであるので、会話の途中で意図しないボタン操作によって通話を終了してしまうことがなく、会話を完了するまで確実に通話状態を保つことができ、これにより、使い勝手を向上させることができるのである。なお、このようにして設定された通話状態や、その終話状態は通話／終話処理部１８によって管理（保持）されている。
【００２３】
以上の構成において本実施形態では、図１に示す補聴器を用いた通話システムを構築する場合、次のような手順を実行することになる。
【００２４】
まずは、携帯端末４に外部から着信がある（図３のＳ１）。
【００２５】
すると、強制着信判断部１１は発信者情報記憶部１０に保持されている情報を取得し、強制的に着信を行って良い発信者１４であるかどうかを判断する（図３のＳ２）。
【００２６】
この発信者情報記憶部１０に保持されている情報は、発信者１４を特定できることが可能な情報であって、例えば発信者１４の電話番号や氏名などである。
【００２７】
そして、強制着信判断部１１において強制的に着信を行って良い発信者１４であると判断すると、次に、パスコード要求部１０ａによって発信者１４にパスコードを入力するように要求する信号を送信機１９から送信する。（図３のＳ３）。
【００２８】
このパスコードの要求は発信者１４の通話端末１５の音声出力部（スピーカなど）から、「パスコードを入力してください」という内容の音声を出力したり、発信者１４の通話端末１５の表示部に、「パスコードを入力してください」という内容を表示したりすることによって、発信者１４に通知することができる。
【００２９】
このパスコードは補聴器１または携帯端末４に予め記憶させているものであって、例えば、数字やアルファベットの組合せにより構成されており、発信者１４は発信者側の通話端末１５のテンキーを操作することによって入力することができるものである。
【００３０】
このように発信者１４にパスコードを入力させることによって発信者１４の特定を、より厳密に行うことができ、これによって発信者１４になりすました第３者からの着信を強制的に着信する許可を与えないようにすることができるので、セキュリティをより向上させることができる。
【００３１】
なお、パスコードの入力はテンキーによる入力に限定されるものではなく、音声入力などによって入力することもできる。
【００３２】
そして、発信者側の通話端末１５から発信者１４によって入力されたパスコードを受信者２の携帯端末４で受信して、その受信したパスコードと補聴器１または携帯端末４に予め登録されているパスコードとが一致するか否かを比較し、一致した場合は強制着信機能をＯＮにする（図３のＳ４）。
【００３３】
つまり、受信者２の携帯端末４に外部から着信を強制的に受付けることを許可するのである。
【００３４】
次に、ボタン操作無効化設定記憶部１２において、予め設定されているボタン操作の無効化の設定を確認する（図３のＳ５）。
【００３５】
この無効化の設定がＯＮである場合は、ボタン操作切替え部１３によって受信者２の携帯端末４の通話終了ボタン４ｂのボタン操作を無効にし、発信者１４の音声を受信者２の携帯端末４で受信するとともに、受信者２の音声は携帯端末４の送信機１９から発信者１４の通話端末１５に送信され、強制的に通話を開始できる状態にする（図３のＳ６）。
【００３６】
すなわち、受信者２が誤って携帯端末４の通話終了ボタン４ｂに触れてしまい、意図しないボタン操作が行われたとしても携帯端末４はそのボタン操作を受付けず、通話が終了してしまうことを防ぐことができ、発信者１４と受信者２の間で必要な通話が完了するまでは、通話が可能な状態を確実に強制的に維持することができるのである。
【００３７】
そして、発信者１４と受信者２の間で必要な通話が完了し、通話を終了しようとするときは、発信者１４が発信者側の通話端末１５から切断コードを発信し、受信者２の携帯端末４で受信する。（図３のＳ７）。
【００３８】
この切断コードは、例えば、発信者１４が発信者側の通話端末１５の通話終了ボタンを操作することによって自動的に受信者側の携帯端末４に切断コードを送信するように予め設定しておいても良いし、別途、発信者側の通話端末１５のテンキーを操作したり、音声によって入力したりすることによって切断コードを入力するようにしても良い。このように切断コードを設定し、発信者側から通話を終了する許可を与えるようにすることで、受信者側で誤って通話を終了してしまうことがないように確実に通話状態を維持できるのである。
【００３９】
また、切断コードは、発信者１４が電話を切ると受信者２側に自動的に通話が終了したことを携帯端末４の表示部（図示せず）に表示させたり、音声によって通知したりするようにしてもよい。
【００４０】
そして、受信者２の携帯端末４は上記切断コードを受信すると、終話処理が行われ、操作が無効にされている携帯端末４の通話終了ボタン４ｂの無効化を解除し、通話を終了する（図３のＳ８）。
【００４１】
このように携帯端末４の通話終了ボタン４ｂの無効化を解除し、通常の携帯端末４の操作が可能な状態、すなわち、外部から着信があったときには通話開始ボタン４ａを操作することによって通話を開始し、通話が完了したときには携帯端末４の通話終了ボタン４ｂを操作することによって通話を終了することができる状態に戻しておくのである。
【００４２】
以上の作業により、ボタン操作無効化設定記憶部１２に予め記憶した設定に基づいて、通話が完了するまでは着信状態を終了できないように一時的にボタン操作を無効にすることができるようにしたので、会話の途中で意図しないボタン操作によって通話を終了してしまうことがなく、会話を完了するまで確実に通話状態を保つことができ、極めて使い勝手の良いものとなるのである。
【００４３】
なお、本実施形態では、音声伝達装置として具体的に補聴器１を用いた構成として説明をするが、これに限定されるものではない。音声伝達装置は、携帯端末に接続された別体のイヤフォンやヘッドセットなどであってもよいし、携帯端末自体に一体で設けられているスピーカなどであってもよい。
【産業上の利用可能性】
【００４４】
以上のように本発明の通話システムにおいては、携帯端末に外部から着信があったときに発信者情報記憶部に予め記憶させた発信者を特定できる情報に基づいて、強制着信判断部で強制的に着信しても良いか否かを判断し、可と判断したときには通話開始ボタンを操作することなく通話が開始できる状態となり、そしてさらに、ボタン操作無効化設定記憶部に予め記憶した設定に基づいて、通話が完了するまでは着信状態を終了できないように一時的にボタン操作を無効にすることができ、極めて使い勝手の良いものとなる。
【００４５】
したがって、例えば、介護医療において患者との通話や、子供たちとの通話を行うための通話システムとしての活用が大いに期待されるものとなる。
【符号の説明】
【００４６】
１  補聴器（音声伝達装置）
２  受信者（補聴器装着者）
３  耳
４  携帯端末
４ａ  通話開始ボタン
４ｂ  通話終了ボタン
５  本体ケース
６  イヤフォン
７  マイクロフォン
８  入出力音処理部
９  制御部
１０  発信者情報記憶部
１０ａ  パスコード要求部
１１  強制着信判断部
１２  ボタン操作無効化設定記憶部
１３  ボタン操作切替え部
１４  発信者
１５  通話端末
１６  受信機
１７  受信信号判別部
１８  通話／終話処理部
１９  送信機
【図１】
2014075689.tif 000003
【図２】
2014075689.tif 000004
【図３】
2014075689.tif 000005